(57)【要約】【課題】エンジン始動時の動力伝達経路のトルク変動を低減するか、或いは除去するための車両のエンジン始動方法を提供する。【解決手段】車両はモータ/ジェネレーター（M/G）14と、エンジン12とM/G14との間に配置された切断クラッチ22と、M/G14と車両の駆動輪18との間に配置された動力伝達装置16と、を備える。動力伝達装置16は、M/G14と車両の駆動輪18との間のトルク伝達を促進すべく選択的に締結可能な入力クラッチを含む。エンジン始動が要求されるとき、M/G14が運転され、そして多くの車両のパラメータに基づいてエンジン12の始動モードが決定される。エンジン12の始動時に車両の駆動輪18をエンジン12から少なくとも部分的に分離するため、動力伝達装置16の入力クラッチが半解放される。切断クラッチ22が締結され、エンジン12に燃料が供給されて、トルク生成が実現される。【選択図】    図３
2006188223.tif 000002
【特許請求の範囲】
【請求項１】
電気機械と、
エンジンと上記電気機械との間を選択的に接続するために、両者間に配設された第一クラッチと、
上記電気機械と車両の駆動輪との間に配設された第二クラッチと、を備え、
該第二クラッチが上記電気機械と車両の駆動輪との間のトルク伝達を促進すべく選択的に締結されるように構成された車両における、上記エンジンの始動方法であって、
エンジン始動を要求する工程と、
上記電気機械を運転する工程と、
上記エンジン始動が要求されたとき、上記第二クラッチが完全締結されていれば、該第二クラッチを半解放して滑りを生じさせ、それによって車両の駆動輪をエンジンのトルク変動から少なくとも部分的に分離する工程と、
上記第一クラッチを締結して、上記エンジンを電気機械に接続する工程と、
上記エンジンに燃料を供給して、該エンジンによるトルク生成を実現する工程と、を有する車両のエンジン始動方法。
【請求項２】
上記エンジンに燃料が供給された後に、上記第二クラッチを完全締結して滑りを無くし、エンジン及び電気機械から車両の駆動輪へのトルク伝達を促進する工程、を更に有する、
請求項１に記載の方法。
【請求項３】
上記車両には、上記第二クラッチを有する動力伝達装置が搭載され、
該第二クラッチが、上記動力伝達装置の入力シャフトに接続されて動作する第一の部分と、該動力伝達装置のトルク伝達要素に接続されて動作する第二の部分と、を含み、
上記第一の部分及び第二の部分の間の角速度偏差として規定される上記第二クラッチの滑り速度が、第一所定滑り速度よりも大きくなったときに、上記第一クラッチの締結工程を開始する、
請求項１又は２のいずれかに記載の方法。
【請求項４】
上記第一クラッチの締結工程が、
第一クラッチの作動圧を第一のレベルに増加する工程と、
上記第一クラッチの作動圧を所定時間の間、上記第一レベルにおいて略一定に保持する工程と、
上記第一クラッチの作動圧を第二のレベルに下げる工程と、
上記第一クラッチの作動圧を上記第一レベル及び第二レベルの中間レベルとし、それによって上記第一クラッチをエンジンの最初の圧縮行程に打ち勝つような作動圧で締結する行程と、
を含む、
請求項１乃至３のいずれか一つに記載の方法。
【請求項５】
上記電気機械を運転する工程が、
上記エンジンの回転数が第一エンジン回転数を上回るまで、上記電気機械をトルク制御モードで運転する工程と、
上記エンジン回転数が上記第一エンジン回転数よりも大きく、且つ、上記電気機械の出力トルクが所定の出力トルク以上であるとき、上記電気機械を回転数制御モードで運転し、これにより、エンジンがトルクを生成し始めたときの電気機械の出力トルクの減少をもたらす工程と、
上記電気機械の出力トルクが上記所定出力トルクを下回ったとき、上記電気機械をトルク制御モードで運転する工程と、
を含む、
請求項１乃至４のいずれか一つに記載の方法。
【請求項６】
上記車両の駆動輪と上記電気機械との間には動力伝達装置が配設されており、
上記エンジン始動が要求されたときに上記第二クラッチが完全解放されていれば、該第二クラッチを完全解放に保持する工程を更に含み、
上記電気機械の運転工程が、該電気機械の回転数を増加させる工程と、当該電気機械の回転数が第一所定電気機械回転数を上回ったときに上記第一クラッチを締結し始める工程と、を含む、
請求項１乃至５のいずれか一つに記載の方法。
【請求項７】
上記電気機械を回転数制御モードで運転する、請求項６に記載の方法。
【請求項８】
動力伝達装置と、
アクセルペダルと、
電気機械と、
エンジンと上記電気機械との間を選択的に接続するために、両者間に配設された第一クラッチと、
上記電気機械と車両の駆動輪との間に配設された第二クラッチと、を備え、
該第二クラッチが上記電気機械と車両の駆動輪との間のトルク伝達を促進すべく選択的に締結されるように構成された車両における、上記エンジン始動方法であって、
エンジン始動を要求する工程と、
上記電気機械を運転する工程と、
上記アクセルペダルの位置及び動力伝達装置の現在の変速段の少なくとも一方に少なくとも部分的に基づいて、上記動力伝達装置の変速比が１速以上で且つ上記アクセルペダルが踏み込まれているときの第一始動モードを少なくとも含めた、エンジンの始動モードを決定する工程と、
上記エンジン始動が要求されて、エンジンを上記第一始動モードとするときには、上記第二クラッチに滑りを生じさせて、上記車両の駆動輪をエンジンのトルク変動から少なくとも部分的に分離する工程と、
上記第一クラッチを締結して、上記エンジンを電気機械に接続する工程と、
上記エンジンに燃料を供給して、該エンジンによるトルク生成を実現する工程と、を有する車両のエンジン始動方法。
【請求項９】
上記エンジンに燃料が供給された後に、上記第二クラッチを完全締結して滑りを無くし、エンジン及び電気機械から車両の駆動輪へのトルク伝達を促進する工程、を更に有する
請求項８に記載の方法。
【請求項１０】
上記エンジン始動モードには、上記動力伝達装置の変速比が１速よりも小さく、且つ、上記アクセルペダルが踏み込まれているときの第二エンジン始動モードが更に含まれ、
上記エンジン始動が要求されて、エンジンを上記第二エンジン始動モードとするときには、上記第二クラッチの半締結状態を、少なくとも上記エンジンへの燃料供給が開始された後まで保持する工程、を更に有する、
請求項８又は９のいずれかに記載の方法。
【請求項１１】
上記第二クラッチが、上記動力伝達装置の入力シャフトに接続されて動作する第一の部分と、上記動力伝達装置のトルク伝達要素に接続されて動作する第二の部分と、を含み、
上記第一の部分と上記第二の部分との間の角速度偏差として規定される、上記第二クラッチの滑り速度が、第一所定滑り速度を上回ったときに、上記第一クラッチの締結を開始する工程を更に有する、
請求項１０に記載の方法。
【請求項１２】
上記第一クラッチの締結工程が、
該第一クラッチの作動圧を第一のレベルに増加する工程と、
上記第一クラッチの作動圧を所定時間の間、上記第一レベルにおいて略一定に保持する工程と、
上記第一クラッチの作動圧を第二のレベルに下げる工程と、
上記第一クラッチの作動圧を上記第一レベル及び第二レベルの中間レベルとし、それによって上記第一クラッチをエンジンの最初の圧縮行程に打ち勝つような作動圧で締結する行程と、
を含む、
請求項８乃至１１のいずれか一つに記載の方法。
【請求項１３】
上記電気機械を運転する工程が、
上記エンジンの回転数が第一エンジン回転数を上回るまで、上記電気機械をトルク制御モードで運転する工程と、
上記エンジン回転数が上記第一エンジン回転数よりも大きく、且つ、上記電気機械の出力トルクが所定の出力トルク以上であるとき、上記電気機械を回転数制御モードで運転し、これにより、エンジンがトルクを生成し始めたときの電気機械の出力トルクの減少をもたらす工程と、
上記電気機械の出力トルクが上記所定出力トルクを下回ったとき、上記電気機械をトルク制御モードで運転する工程と、を含む、
請求項８乃至１２のいずれか一つに記載の方法。
【請求項１４】
上記エンジン始動モードには、上記動力伝達装置の変速段が１速よりも小さく且つ、上記アクセルペダルが踏み込まれていないときの第三のエンジン始動モードが更に含まれ、
上記エンジン始動が要求されて、エンジンを上記第三のエンジン始動モードとするときには、上記第二クラッチの半締結状態を、少なくとも上記エンジンへの燃料供給が開始された後まで保持する工程を更に有する、
請求項８乃至１３のいずれか一つに記載の方法。
【請求項１５】
上記エンジン始動モードには、上記動力伝達装置がパーキング・レンジ若しくはニュートラル・レンジにあるときの第四のエンジン始動モードが更に含まれ、
上記エンジン始動が要求されて、エンジンを上記第四のエンジン始動モードとするときには、上記第二クラッチを完全解放に保持する工程を更に有する、
請求項８乃至１４のいずれか一つに記載の方法。
【請求項１６】
上記電気機械を運転する工程が、電気機械の回転数を増加する工程と、該電気機械の回転数が第一所定電気機械回転数を上回ったとき、上記第一クラッチを締結し始める工程と、を含む請求項１４又は１５のいずれかに記載の方法。
【請求項１７】
上記電気機械を回転数制御モードで運転する、請求項１６に記載の方法。
【請求項１８】
駆動輪を含む車両であって、
エンジンと、
動力伝達装置と、
上記車両を推進し且つ上記エンジンを回転させるための電気機械と、
上記エンジンを上記電気機械に選択的に接続するために、両者間に配設された第一クラッチと、
上記電気機械と車両の駆動輪との間に配設され、両者間のトルク伝達を促進するために選択的に締結される第二クラッチと、
少なくとも一つの制御器を含む制御装置と、を有し、
該制御装置が、
エンジンの始動を要求し、
上記電気機械を運転し、
上記エンジン始動が要求されたときに上記動力伝達装置が１速以上にあれば、上記第二クラッチに滑りを生じさせて、上記車両の駆動輪をエンジンのトルク変動から少なくとも部分的に分離するように構成され、
更に、上記制御装置が、
上記第一クラッチを締結して、上記エンジンを電気機械に接続するとともに、該エンジンに燃料を供給して、トルク生成を実現するように構成されている、
車両。
【請求項１９】
上記制御装置が、エンジンに燃料が供給された後に、上記第二クラッチを締結して滑りを無くし、エンジンから車両の駆動輪へのトルク伝達を促進するように構成されている、
請求項１８に記載の車両。
【請求項２０】
上記動力伝達装置が、入力シャフトとトルク伝達要素とを含み、
上記第二クラッチが、上記動力伝達装置の入力シャフトに接続されて動作する第一の部分と上記トルク伝達要素に接続されて動作する第二の部分とを含み、
上記制御装置が、上記第一の部分と第二の部分との間の角速度偏差として規定される上記第二クラッチの滑り速度を判定し、それが第一所定滑り速度を上回ったときに上記第一クラッチを締結するように構成されている、
請求項１９に記載の車両。
【請求項２１】
コンピューター装置に格納され、請求項１乃至１７のいずれか一つに記載の車両のエンジン始動方法を上記コンピューター装置に実行させる、エンジン始動制御用コンピューター・プログラム。
【発明の詳細な説明】
【技術分野】
【０００１】
本発明は、車両及び、車両のエンジン始動方法に関するものである。
【背景技術】
【０００２】
ハイブリッド電気自動車(Hybrid electric vehicles: HEV)は、自動車を推進するのに必要な動力を提供するために、内燃機関（エンジン）と電気モーターとの組合せを利用する。この組合せは、エンジンだけを持つ自動車より優れた燃料経済性を提供する。HEVが燃料経済性を改善する方法の一つは、エンジンの作動効率が悪く且つ、エンジンが自動車を推進する必要が無い間、エンジンを停止することである。この状態においては、自動車を推進するために必要な全動力を電気モーターが供給する。運転者の動力要求が増加して、電気モーターがもはやその要求を満たすのに十分な動力を提供できなくなったとき、あるいは、バッテリーの充電状態（State of Charge：SOC）が所定レベルより下がったとき、エンジンは迅速に且つ、運転者に殆ど分からないように滑らかに始動しなくてはならない。
【０００３】
HEVのパワートレインの制御方法の一つが、特許文献１に記載されている。特許文献１は、エンジンとモーターとの間に配置され、エンジンをモーターから分離可能に構成されたクラッチを含むHEV用パワートレインについて記述する。特許文献１に記述されたパワートレインはまた、モーターの出力側に設けられた動力伝達装置を含む。動力伝達装置は、異なる変速比（変速段）で運転されることを可能とする多数のギア及びクラッチを含む。特許文献１に記述された制御方法は、エンジンのアイドル中と自動車の発進時における動力伝達装置内のフォワードクラッチ及びリバースクラッチの滑り量の制御を含む。特許文献１は、自動車の発進時にエンジン停止が可能で、発進の全動力を電気モーターによって供給し得ることを記している。この状況で、動力伝達装置内のフォワードクラッチは完全に締結され、滑りは許容されない。また、特許文献１は、エンジンが作動し動力伝達装置内のフォワードクラッチの滑りが許容されたままとされ、それによって、モーターが発進を補助することを可能とし、発進性能を最適なものとすることを記している。
【特許文献１】米国特許6,176,808号明細書
【発明の開示】
【発明が解決しようとする課題】
【０００４】
ところで、エンジンが始動されるときのHEVの運転状態は様々である。エンジン始動の制御は、自動車（HEV）の運転状態の違いに応じて異なる可能性がある。加えて、HEVが電気モーターの動力で動いているときに、HEVのエンジンを始動すると、自動車の動力伝達経路内に顕著な、即ち望ましくないトルク変動が起こる場合がある。したがって、エンジンが始動するときの動力伝達経路のトルク変動を低減する或いは除去することのできる自動車（車両）及び、エンジン始動方法の必要性が存在する。
【課題を解決するための手段】
【０００５】
本発明の目的の一つは、エンジン及び電動モーター等の電気機械を備え、動力伝達経路のトルク変動を低減或いは除去するようにして、エンジンの始動を制御し得る車両を提供することである。
【０００６】
本発明の別の目的は、車両が電気機械によって推進されているときでさえ、動力伝達経路のトルク変動を低減或いは除去し得るエンジン始動制御方法を提供することである。
【０００７】
本発明は、電気機械と、エンジンを電気機械に選択的に接続するために両者間に配設された第一クラッチと、電気機械と車両の駆動輪との間に配設された第二クラッチと、を備えた車両におけるエンジンの始動方法を提供する。第二クラッチは、電気機械と車両の駆動輪との間のトルク伝達を促進するために選択的に締結可能である。本方法は、エンジン始動を要求する工程及び、電気機械を運転する工程を含む。第二クラッチは、エンジン始動が要求されたときに完全締結している場合、半解放される。これにより第二クラッチを滑らせ、少なくとも部分的に自動車の駆動輪をエンジンのトルク変動から分離する。本方法はまた、第一クラッチを締結して、エンジンを電気機械に接続する工程及び、エンジンに燃料を供給して、トルク生成を実現する工程を含む。
【０００８】
本発明は、動力伝達装置と、アクセルペダルと、電気機械と、エンジンを電気機械に選択的に接続するために両者間に配設された第一クラッチと、電気機械と自動車の駆動輪との間に配設された第二クラッチと、を備えた車両におけるエンジンの始動方法を更に提供する。第二クラッチは、電気機械と車両の駆動輪との間のトルク伝達を促進するために選択的に締結可能である。本方法は、エンジンの始動を要求する工程、電気機械を運転する工程及び、エンジンの始動モードを決定する工程を含む。エンジンの始動モードを決定する工程は、アクセルペダル位置及び現在の動力伝達装置の変速段の少なくとも一方に少なくとも部分的に基づく。第一エンジン始動モードは、変速段が１速以上で、アクセルペダル位置が少しでも踏み込まれているときのものである。本方法は、エンジン始動が要求されて、エンジンを第一始動モードとするときに、第二クラッチに滑りを生じさせる工程を更に含む。第二クラッチの滑りにより、車両の駆動輪がエンジンのトルク変動から少なくとも部分的に分離される。第一クラッチが締結され、それによってエンジンが電気機械に接続され、エンジンが燃料供給され、それによってエンジンによるトルク生成が実現される。
【０００９】
本発明はまた、駆動輪と、エンジンと、動力伝達装置と、車両を推進し且つエンジンを回転させることが可能にされた電気機械と、エンジンを電気機械に選択的に接続するためにエンジンと電気機械との間に配設された第一クラッチと、を備えた車両を提供する。第二クラッチが電気機械と車両の駆動輪との間に配設される。第二クラッチは電気機械と車両の駆動輪との間のトルク伝達を促進するため選択的に締結可能である。車両はまた、少なくとも一つの制御器を含む制御装置を備える。制御装置は、エンジン始動を要求し、電気機械を運転し、エンジン始動が要求されたとき動力伝達装置が１速以上にあれば、第二クラッチに滑りを生じさせるように構成される。第二クラッチの滑りにより、車両の駆動輪がエンジンのトルク変動から少なくとも部分的に分離される。制御装置は、第一クラッチを締結してエンジンを電気機械に接続し、エンジンに燃料を供給して、トルク生成を実現するように構成される。
【発明の効果】
【００１０】
本発明は、エンジン及び電気機械を持ち、エンジンの始動が動力伝達経路のトルク変動を低減或いは除去するように制御され得る車両を提供する。また、本発明は、車両が電気機械によって推進されているときでさえ、動力伝達経路のトルク変動を低減或いは除去することのできる、車両のエンジン始動制御方法を提供する。
【発明を実施するための最良の形態】
【００１１】
図１は、本発明に係る車両10のブロック図を示す。車両10はHEVであり、エンジン12、電気機械即ち、モータ/ジェネレーター(motor/generator : M/G)14、及び、このM/G 14と車両の駆動輪18の間に配設された動力伝達装置16を含む。M/G 14は、駆動輪18にトルクを供給するためにモーターとして作動することが出来、さらにまた、エンジン12及び/又は駆動輪18からのトルクを受け、その結果バッテリー20を充電する発電機として作動することが出来る。M/G 14はまた、この例では第一クラッチである切断クラッチ22が少なくとも部分的に締結しているとき、エンジン12を回転させることが出来る。
【００１２】
車両10はまた、車両システム制御器（vehicle system controller: VSC)24、エンジン制御モジュール（engine control module : ECM）26及び、トランスアクスル制御モジュール（transaxle control module: TCM）28の、三つの独立した制御器として図１の実施形態中に示される制御装置を含む。図１に示されるように、ECM26はエンジン12に直接接続され、TCM 28はM/G 14と動力伝達装置16に接続される。三つの制御器24，26，28は、コントローラー・エリア・ネットワーク（controller area network : CAN）30を介して互いに接続される。この例では、車両10の制御装置は三つの独立した制御器を用いて具体化されているが、そのような制御システムは、必要に応じて三つ未満または三つ以上の制御器でも具体化され得る。
【００１３】
図２は、他のいくつかの車両構成要素と共に、動力伝達装置16の詳細を示す。動力伝達装置16は、M/G 14、エンジン12、あるいはM/G 14及びエンジン12の両方からトルクを受け取る入力シャフト32を含む。動力伝達装置の入力シャフト32は、この例では第二クラッチであるフォワードクラッチ（forward clutch: FC）36の第一の部分34に接続されて、動作する。フォワードクラッチ36の第一の部分34はまた、直結クラッチ（direct clutch: DC）38の第一の部分でもある。フォワードクラッチ36及び直結クラッチ38は各々は第二の部分40、42を持ち、それらは動力伝達装置16内で夫々のトルク要素に接続されて動作する。
【００１４】
フォワードクラッチ36の第二の部分40は、第一サン・ギア(S1)44に接続されて動作し、直結クラッチ38の第二の部分42は、第一リング・ギア（R1）46に接続されて動作する。図２に示されているように、リング・ギア46、サン・ギア44、及びプラネタリ・キャリア（P1）48を含む第一遊星歯車機構は、第二遊星歯車機構に接続されて動作する。第二遊星歯車機構は、リバースクラッチ（reverse clutch：RC）52に接続される第二サン・ギア(S2)50を含む。図２に示されているように、摩擦ブレーキ53（2/4バンドブレーキ）を含むリバースクラッチ52もまた、動力伝達装置の入力シャフト32に接続されて動作する。
【００１５】
第二遊星歯車機構のプラネタリ・キャリア（P2）54は、その一側において第一遊星歯車機構のリングギア46に接続され、他側においてロー・リバース・ブレーキ（L/R）56に接続される。リング・ギア(R2)58は、概略的に符号60で示されるチェーン駆動部のスプロケットとなる。チェーン駆動部60は、第三遊星歯車機構のサン・ギア（S3）64を駆動するためのスプロケット62を駆動する。プラネタリ・キャリア（P3）68がディファレンシャル・ギア装置70に取り付けられる一方、リング・ギア(R3)66は、動力伝達装置のハウジングに固定される。ディファレンシャル・ギア装置70は、二つのアクスル・ハーフシャフト72、74の各々に駆動トルクを伝達することを可能にする。動力伝達装置16の様な動力伝達装置の実施形態の一つの詳細断面図は、米国特許6,585,066号明細書に示される。さらに、動力伝達装置の各クラッチに作動圧を供給可能なポンプ76が、図２の中に示されている。
【００１６】
図３は、本発明による方法を表すフローチャート78である。上述したように、本発明は車両10のエンジン12の様なエンジンの始動方法を提供する。フローチャート78の説明の全体に亘り、図１および図２で示された車両10の構成を参考として使用する。ステップ80において、エンジン始動が要求される。VSC 24が、多数の入力信号に基づき、この要求を発生する場合がある。その際、ブレーキペダル位置やアクセルペダル位置のような運転者に決定されるパラメータが、総合的な運転者の要求を計算するためVSC 24により使用される。加えて、トランスアクスルからの情報とTCM 28によって提供されるバッテリーのSOCとが、いつエンジン始動が必要とされるか判定するために使用され得る。エンジンの始動が必要とされるとき、VSC 24は、エンジン12始動時に生じる動力伝達経路のトルク変動が小さくなり、車両の乗員に分からなくなるように種々の車両構成部品の作動を調整して、エンジン始動を「要求」する。
【００１７】
ステップ82においてM/G 14が運転（モータ作動）され、後述するように、エンジン12を始動するために使用される。エンジン12を始動するために実行されるステップは、エンジンの始動が要求されたときの車両の運転状態に応じたものになる。従って、ステップ84において、エンジン始動モードについての決定がなされる。図３に示された実施形態には、後に夫々詳述する４つの異なるエンジン始動モードが存在する。図３に示された４つのエンジンン始動モードを使用することが、本発明を実行するのに効率的で有効な方法となるが、本発明は４つよりも多い或いは４つよりも少ないエンジン始動モードが有る場合も企図していることを、記すべきである。
【００１８】
どのエンジン始動モードが使用されるかを決定する一つのステップは、動力伝達装置16の現在の変速段を判定することである。判定ブロック86において、動力伝達装置16が１速以上（後退も含む）になっているかどうかを判定する。ここで、動力伝達装置16が１速よりも小さい変速段にあるのは、それが「0速」になっている場合のみである。一般的に「0速」は、車両10が、フォワードクラッチ36及び/又はロー・リバース・ブレーキ56の滑りより実現されるクリープ・モードで、ゆっくり前進するという状況を表す。しかし、動力伝達装置が１速以上にあるときでも、一つ以上のクラッチ36、38、52及び/又はロー・リバース・ブレーキ56が少しの量、滑る可能性があることに注意すべきである。
【００１９】
本発明を実行するために、TCM 28が現在の変速段を判定する。例えば、もし動力伝達装置16が１速に変速されたならば、TCM 28は他の変速段に変速されるまで、動力伝達装置が１速になっているとみなす。動力伝達装置16の１速は、フォワードクラッチ36及びロー・リバース・ブレーキ56の実質的な締結によって特徴づけられる。たとえフォワードクラッチ36及び/又はロー・リバース・ブレーキ56が、動力伝達装置16が１速になっている間に少しの量滑ることが許されるとしても、それは0速とは見なされない。動力伝達装置16が、１速から、クラッチの滑り量の著しい増加によって特徴付けられ得る0速に変速したときのみ、TCM 28は動力伝達装置が0速にあるとみなす。
【００２０】
もし判定ブロック86において動力伝達装置16が１速以上にあると判定されたならば、エンジン12は第一の始動モード即ち、ローリング始動モードとされる（ブロック88を参照）。ローリング始動モードとするときに、フォワードクラッチ36は完全に締結している場合も有れば、前述した様にそれが小さい量の滑りを持っている場合もあるが、エンジン始動が要求されて、エンジン12をローリング始動モードとするときには、フォワードクラッチ36には所定量の滑りを生じさせる。したがって、フォワードクラッチ36が既に少し滑っているならば、必要に応じてフォワードクラッチ36はその滑りを増すよう更に解放される。反対に、エンジン始動が要求されたときにフォワードクラッチが完全に締結しているならば、滑りを生じさせるために、フォワードクラッチ36を半解放することになる（ステップ90を参照）。フォワードクラッチ36を半解放することにより、車輪18を含む車両の動力伝達経路がエンジンのトルク変動から少なくとも部分的に切り離され、エンジン12の始動が車両の乗員に気づかれないようになる。
【００２１】
判定ブロック86において、もし動力伝達装置16が１速以上に無いと判定されたならば、次に0速か否かが判定される（判定ブロック92を参照）。もし動力伝達装置16が0速であれば、今度はアクセルペダルが少しでも踏み込まれているかどうかを判定する（判定ブロック94を参照）。判定ブロック94において、もしアクセルペダルが少しでも踏み込まれていることが判定されたならば、エンジン12は第二の始動モードである発進始動モードに入る（ブロック96を参照）。発進始動モードは、車両が殆ど停止状態にあるときで且つ、アクセルペダルが踏み込まれたときに生じる。
【００２２】
発進始動モードとローリング始動モードとの間の主要な相違点は、発進始動モードにおいては、エンジン始動要求を受けたときにフォワードクラッチ36が既に大きく滑っている点である。したがって、フォワードクラッチ36が締結状態から半解放されるステップ90と比べると、発進始動モードにおけるフォワードクラッチ36は、ステップ98において半解放状態を維持されることになる。後に詳述するが、フォワードクラッチ36が半解放されるときに生じることが許される滑り量は、クラッチ36の作動圧とM/G 14の回転数を調節することによって制御され得る。
【００２３】
判定ブロック94に戻ると、もしアクセルペダルが踏み込まれていないならば、エンジン12を第三の始動モード即ち、クリープ始動モードとするか否かを決定する（ブロック100を参照）。クリープ始動モードは車両が駆動アイドル状態にあるときに生じる。駆動アイドル状態は車両がアクセルペダル・オフ、即ちアクセルペダルが踏み込まれていない状態で停止しているときに生じる。通常の車両においては、トルクコンバータが動力伝達装置に少しのトルクを供給する。ブレーキペダルが放されたときはいつも、この動力伝達経路のトルクが平坦な道路条件の下で車両をゆっくり進ませる。この低いレベルのトルクがクリープとして知られている。
【００２４】
HEVにおいては駆動アイドル状態の間、エンジンは停止されるのが普通である。ブレーキペダルが放されたとき、エンジンは始動することを要求される場合がある。そのような始動が、「クリープ始動」である。クリープ始動モードにおいては、発進始動モードと同様、フォワードクラッチ36は既に半解放されており、それゆえ、既に滑っている。したがって、車両の駆動輪18をエンジンのトルク変動から少なくとも部分的に分離したままにするのに必要なことは、フォワードクラッチ36を半解放したままに保つことである（ステップ102を参照）。
【００２５】
最後に、判定ブロック92において、動力伝達装置が0速に無い、即ち駐車若しくはニュートラル段にある時、エンジン12は第四の始動モード即ち、キー始動モードとされる（ブロック104を参照）。キー始動モードは、車両の乗員がエンジンに始動を指示するため車両内のキーを回すときに生じる。これは、ハイブリッドではない車両において行なわれる始動と同じであり、動力伝達装置がパーキング若しくはニュートラル・レンジのいずれかにあって、スターター・モーターがエンジンを始動させる。車両10の場合は、M/G 14がエンジン12を回転させるために使用される。キー始動モードの間、車両10はパーキング若しくはニュートラル・レンジにあるため、M/G 14が作動するときフォワードクラッチ36は完全に解放されている。
【００２６】
図３に示された方法は、車両の駆動輪18をエンジンのトルク変動から分離するために、フォワードクラッチ36を完全締結でない状態に維持することについて述べているが、動力伝達装置内の他の入力クラッチ、即ち直結クラッチ38及びリバースクラッチ52に関しても同じことが当てはまることに注意が必要である。エンジン始動が要求され、エンジン12がキー始動モードにあることが判定されたとき、フォワードクラッチ36は完全解放状態を保持される（ブロック106を参照）。フォワードクラッチ36及び他の入力クラッチ38、52を完全に解放状態にすることは、車両の駆動輪をエンジンのトルク変動から完全に分離する。
【００２７】
四つのエンジン始動モードのどれが使用されるかにかかわらず、M/G 14がエンジンに運転を開始させるよう、切断クラッチ22が締結される（ブロック108を参照）。最後に、ブロック110において、エンジン12に燃料が給され、それがトルク生成を開始する。フローチャート78の各工程は特定の順序で記載されているものの、これらの工程は如何なる特定の順序で行われることも必要としておらず、実際、複数の工程が同時に行なわれても良い。
【００２８】
四つのエンジン始動モードの各々を図４-７を使用して詳細に説明する。図４は、種々の車両パラメータが時間の経過と共に変化する、ローリング始動モードのタイムチャートを示す。図４-７の各タイムチャートにおいてエンジンの始動期間は、０〜５の６つの期間（以下、モード0〜5という）に分けられる。これらのモード0〜5は、種々のエンジン始動モードのそれぞれにおいて生じる現象を表すのに都合が良い。図４に示されている通り、ローリング始動モードは比較的高い入力クラッチ圧（即ちフォワードクラッチ36の作動圧）で開始する。これは、ローリング始動モードの開始時においてフォワードクラッチ36が完全に締結されている若しくは、非常に小さい量だけ滑っているからである。図４に示されるように、「入力クラッチ滑り速度」は、モード0の開始時点において或る小さな正の値を持つ。これは、図４に示されたローリング始動モードに関し、ローリング始動モードに入ったとき、フォワードクラッチ36が既に小さな量だけ滑っていることを表す。
【００２９】
モード0においてフォワードクラッチ36は、動力伝達経路をエンジンのトルク変動から分離するために半解放される。これはクラッチの滑り速度の増加によって表される。フォワードクラッチ36が半解放され、M/G 14が作動しているときには、フォワードクラッチ36の第一の部分34と第二の部分40との間に角速度偏差が存在し、この速度偏差がフォワードクラッチ36の滑り速度に対応する。
【００３０】
モード0において、図に水平の一点鎖線で示すように目標滑り速度が設定される。実際の滑り速度が目標滑り速度よりも低いとき、フォワードクラッチ36に対する作動圧指令は緩やかに減少する。実滑り速度が目標滑り速度より高いとき、フォワードクラッチ36の作動圧（入力クラッチ圧）は一定に維持される。滑り速度が高くなりすぎるときに使用される安全策もあり、この場合、圧力指令が増加させられる。フォワードクラッチ36の作動圧及び、M/G 14の回転数を調節することにより、フォワードクラッチ36の滑り速度は、それが第一所定滑り速度になるまで増加する。これは、図４中、モード0の終わりの点Aにおいて示される。
【００３１】
モード1においては、切断クラッチ22が利用され始める。切断クラッチ22の作動圧は所定時間の間（この場合、モード1の間）、階段状に増加する。この操作は急速増圧工程として知られており、クラッチ圧を出来るだけ早く最大値とするために使用される。モード1の終わりにおいて切断クラッチ内の作動圧は第二のレベルまで低下し、モード2の終了前に、第一レベルと第二レベルの中間のレベルまで増加する。モード2における切断クラッチ22の作動圧の増加は、M/G 14が、切断クラッチ22を介して、エンジン12の始動時に最初に圧縮行程を迎える気筒の圧縮圧力に打ち勝つのに十分なトルクを供給することの一助となる。
【００３２】
また図４に示されているように、M/G 14はモード0からモード2の間、トルク制御モードで作動する。トルク制御モードの間M/G 14は、要求されたトルク量を生成するために必要であれば如何なる回転数でも作動可能とされる。また、図４に示されているように、M/G 14のトルクはモード0からモード2の間、増加する。モード2の終わり近くで、エンジン回転数が増加し始める。エンジン回転数が第一所定エンジン回転数よりも大きくなったときに、モード2が終了して、M/G 14のトルク制御が終了する。これは図中、モード2の終わりの点Bにおいて示される。
【００３３】
モード3においてはエンジン回転数がM/G 14の回転数まで大きくなり、フォワードクラッチ36が締結を開始する。モード3の開始時点では、動力伝達経路の分離を提供するためにある滑り量が依然として必要であるが、エンジン12を回転させるM/G 14を補助するための慣性トルクはもはや必要無いので、フォワードクラッチ36の目標滑り速度（図中、水平の一点鎖線で表される）が下げられる。
【００３４】
モード3およびモード4の一部を通じて、M/G 14は回転数制御モードで運転される。回転数制御モードにおいて、M/G 14は目標回転数を維持するように制御され、その出力トルクは変動することが許容される。図４に示されているように、エンジン回転数が増加するにつれ、モード3とモード4を通じてM/G 14のトルクは該して減少する。M/G 14は、その出力トルクが所定の出力トルクを下回るまで、回転数制御モードで運転される。これは図４中の点Cで示される。M/G 14のトルクがその所定出力トルクより下がった後、M/G 14は再びトルク制御モードで制御される。この点においてエンジン始動の過渡的時期を終了し、バッテリ20の充電を開始するために、トルク指令が負の値に減少される。
【００３５】
そして、フォワードクラッチ36の滑り速度が第二の所定滑り速度より低くなったとき、モード4が終了する。これは図４中、点Dにおいて示される。モード4の後、M/G 14は、VSC 24及び/又はTCM 28の制御下に戻され、そしてエンジン始動が終了する。モード5においてフォワードクラッチ36は完全に締結され、それによってフォワードクラッチ36の滑りは無くなり、エンジン12及びM/G 14から車両の駆動輪18へのトルク伝達が促進される。
【００３６】
図５は、発進始動モードの詳細を示す。図５に示されているように、この始動モードは図４に示されたローリング始動モードに類似しており、主な相違点は、モード0の開始時点でフォワードクラッチ36が既に滑っている点である。フォワードクラッチ36が既に滑っているので、滑り速度は既に目標滑り速度よりも上にある。これはモード1への移行が殆ど瞬間的であることを意味する。
【００３７】
発進始動モードと同様、クリープ始動モードはフォワードクラッチ36が既に滑っている状態で開始し、これは図６に示される。モード0の開始時点でM/G 14は当初、作動していない。モード0の間、M/G 14は第一所定回転数に到達するまでその回転数を増加する一方向の回転数制御モードで作動する。第一所定回転数は、図６中、モード0の終わりの点Aにおいて示される。モード1で切断クラッチ22は作動圧が最大となるように指令される。図６に示されたように、切断クラッチ22の作動圧の変化は、後述するキー始動モードを含む他の異なる始動モードの各々と本質的に同じである。また、他の始動モードと同様に、エンジン12の回転数が所定エンジン回転数よりも大きくなったとき、クリープ始動モードにおけるモード2が終了する。これは図６中、点Ｂにおいて示される。けれども、発進始動モードやローリング始動モードと異なり、クリープ始動モードはM/G 14をトルク制御モードと回転数制御モードとの間で移行させず、回転数制御モードで運転し続ける。
【００３８】
切断クラッチ22の滑り速度が所定値に達すれば、モード3の終了は近い。これは図６中、そこにおいてエンジン回転数が本質的にM/G 14の回転数に一致するところの、点Cで示される。モード4で、切断クラッチ22の作動圧は、クラッチ22が滑らかに締結を完了するために調整された開ループ指令に従って、その最大値になるよう制御される。最大圧指令を受けるやいなやクラッチ22の制御は完了し、エンジン始動の終了を示すモード5へと移行する。
【００３９】
図７は、キー始動モードを説明する図である。図６と図７とを比較すると判るように、キー始動モードはその方法においてクリープ始動モードにとてもよく似ている。明白な違いの一つは、キー始動モードの間、フォワードクラッチ36を含むいずれの入力クラッチも締結されないことである。これは、図７において入力クラッチの作動圧が無いことにより裏付けられる。この始動モードにおいてフォワードクラッチ36は完全に解放される。クリープ始動モードと同じくM/G 14は、キー始動モードの間、回転数制御モードで作動し、そしてM/G 14の回転数が第一所定回転数に達したとき、切断クラッチ22が締結を開始する。
【００４０】
本発明を実施するための最良の形態を詳細に説明してきたが、本発明に関する技術分野の当業者は、特許請求の範囲に規定された本発明を実施するための種々の代替構成及び実施形態を認識するであろう。
【図面の簡単な説明】
【００４１】
【図１】本発明による車両のブロック図である。
【図２】図１に示す車両の動力伝達装置の詳細を含むいくつかの構成要素を表すブロック図である。
【図３】本発明による方法を表すフローチャートである。
【図４】ローリング始動モードにおける種々のパラメーターの変化を示すタイムチャートである。
【図５】発進始動モードにおける種々のパラメーターの変化を示すタイムチャートである。
【図６】クリープ始動モードにおける種々のパラメーターの変化を示すタイムチャートである。
【図７】キー始動モードにおける種々のパラメーターの変化を示すタイムチャートである。
【符号の説明】
【００４２】
12.  エンジン
14.  モーター/ジェネレーター（M/G）
16.  動力伝達装置
18.  駆動輪
20.  バッテリー
22.  切断クラッチ（第一のクラッチ）
36.  フォワードクラッチ（第二のクラッチ）
【図１】
2006188223.tif 000003
【図２】
2006188223.tif 000004
【図３】
2006188223.tif 000005
【図４】
2006188223.tif 000006
【図５】
2006188223.tif 000007
【図６】
2006188223.tif 000008
【図７】
2006188223.tif 000009